Podtech/llm-jp-corpus-v4-ja_patent huggingface dataset:
(57)【要約】【課題】  移植鏝、手袋の手で肥料をすくって注入するとき５０％〜７０％が剥き出しの状態であるからこぼれることが多い。  空いた手で押し添えるがこぼざず注入することが不可能であった。  本発明は庭植え、鉢植えの花木の根元に注ぐ、鉢植えの肥料注入具を提供する。【解決手段】  枠体の握り柄に漏斗を備え、大蓋と大爪を設け、先端に注入口を設け、枠体の内部前方に軸受けを設け、丸軸を掛け渡し、丸軸の中央に螺旋の流れをつけた三角柱を複数設け、丸軸後部から軸止めを挿入して取り付けた後、軸受台座を挿入して取り付け、残る丸軸に竹のこバネを組み込んだＩ形ハンドルを装着したことを特徴とする鉢植えの肥料注入具【選択図】図１
2015107092.tif 000002
【特許請求の範囲】
【請求項１】
枠体の握り柄に漏斗を備え、大蓋と大爪を設け、
先端に注入口を設け、枠体の内部前方に軸受けを設け、丸軸を掛け渡し、
丸軸の中央に螺旋の流れをつけた三角柱を複数設け、丸軸後部から軸止めを挿入して取り付けた後、軸受台座を挿入して取り付け、
残る丸軸に竹のこバネを組み込んだＩ形ハンドルを装着する。
本発明は以上のように構成された鉢植えの肥料注入具。
【発明の詳細な説明】
【技術分野】
【０００１】  本発明は、庭植え鉢植えの土壌に注入するために用いる鉢植えの肥料注入具である。
【背景技術】
【０００２】  従来、庭植え鉢植えの花木の根元に肥料を散布、すき込むためには移植鏝、手袋の手で注入していた。
なお、機械ではポンプによる事前の散布が知られている。
従来、盆栽や鉢植え植物に肥料を施す際、固形肥料を液体肥料に変えて施肥する容器が提案されている。（特許文献１参照）
従来、鉢植えなどの植物栽培で、適切、適量にしかも、臭いやその臭いに集まる虫に悩まされることなく、肥料を施す簡便な方法が求められ、パック型肥料袋が提案されている。（特許文献２参照）
【先行技術文献】
【特許文献】
【０００３】
【特許文献１】  特開２００８−１２５５０８号公報
【特許文献２】  特開平１１−５６０５５号公報
【発明の概要】
【発明が解決しようとする課題】
【０００４】  そのために、次のような問題点がある。
庭植え、鉢植えの花木の根元に顆粒、粉末の肥料を注入するために移植鏝、手袋の手で注入するが、脇からこぼれ落ちるので、茎、葉を汚してしまう。
肥料をこぼさず注入することが困難であった。
本発明は以上の問題点を解決するためになされたものである。
【課題を解決するための手段】
【０００５】  枠体の握り柄に漏斗を備え、大蓋と大爪を設け、
先端に注入口を設け、枠体の内部前方に軸受けを設け、丸軸を掛け渡し、
丸軸の中央に螺旋の流れをつけた三角柱を複数設け、丸軸後部から軸止めを挿入して取り付けた後、軸受台座を挿入して取り付け、
残る丸軸に竹のこバネを組み込んだＩ形ハンドルを装着する。
本発明は以上のように構成された鉢植えの肥料注入具。
【発明の効果】
【０００６】  従来、不可能とされていた肥料を手を汚さず注入することを、本発明により可能にし、安全な作業にすることができる。
【図面の簡単な説明】
【０００７】
【図１】  本発明の正面断面図である。
【図２】  本発明のＩ形ハンドルを展開した説明図である。
【発明を実施するための形態】
【０００８】（イ）握り柄（１）の漏斗（２）の前方両側に指掛（１７）を設け、大蓋（３）と大爪（    １６）を備え、枠体（４）の先端に円錐の注入口（６）を設け、後部に竹のこバネ（    １２）を組み突起（１５）をつけた、Ｉ形ハンドル（１１）を設ける。
（ロ）枠体（４）の内部に前軸受（７）、後軸受台座（１４）を設ける。
（ハ）枠体（４）の内部に丸軸（８）を設け、前頭に押し台（５）、中央の外周に螺方の    流れをつけた三角柱（９）を複数設け、軸止（１０）を設ける。
本発明は以上のような構造である。
本発明を使用するときは、Ｉ形ハンドル（１１）の突起（１５）を握り柄（４）の大爪（１６）より外すと竹のこバネ（１２）の力で軸受台座（１４）から下がり軸止（１０）で止まる。
漏斗（２）の大蓋（３）を開き肥料を挿入する。
Ｉ形ハンドル（１１）を回すと、螺施の流れをつけた三角柱（９）で肥料を先端まで送り充填する。
指掛（１７）に掛けた指先とＩ形ハンドル（１１）の押し柄（１３）を手の掌で押すと、押し台（５）の前方にある肥料は押し出される。
指を離すと竹のこバネ（１２）の力で戻るから、三角柱（９）の翼で肥料を撹拌してほぐした肥料は空いた押し台（５）の前に入り易い。
漏斗（２）と注入口（６）が一体に繋がっているから肥料が外にこぼれない。
【符号の説明】
【０００９】    １    握り柄
２    漏斗
３    大蓋
４    枠体
５    押し台
６    注入口
７    前軸受
８    丸軸
９    三角柱
１０    軸止
１１    Ｉ形ハンドル
１２    竹のこバネ
１３    押し柄
１４    軸受台座
１５    突起
１６    大爪
１７    指掛
１８    蝶番
１９    ピン
２０    止め具
【図１】
2015107092.tif 000003
【図２】
2015107092.tif 000004
(57)【要約】【課題】本発明は、飲料、例えばコーヒーの調理をするための包容器（１）に関する。【解決手段】包容器は、例えば挽かれたコーヒーの供給部を備えた中空の部材を具備する。中空の部材は、側壁（２）と、上面と、抽出膜を備えた下面と、襟状の形状の縁（３）とを具備し、この縁は、側壁（２）を横断する平面を向いている。縁（３）は、液体に接触したときに軟化する物質から構成されている。【選択図】図１
2015107376.tif 000002
【特許請求の範囲】
【請求項１】
コーヒーなどの飲料を調理する包容器（１）であって、例えば挽かれたコーヒーの供給部を備えるように構成された中空の部材を具備し、該中空の部材は、側壁（２）と、上面と、放出膜を備えた下面と、前記側壁（２）と交差する平面を向いている襟状の形態の縁部（３）とを具備しており、前記縁部（３）が、液体に接触したときに軟化する物質から構成されることを特徴とする、包容器。
【請求項２】
前記縁部（３）を形成する物質が、室温より高い温度の液体に接触したときに軟化するように構成されることを特徴とする、請求項１に記載の包容器（１）。
【請求項３】
前記側壁（２）および前記縁部（３）が単一の部材から形成され、前記縁部（３）が前記側壁（２）の延長部を形成することを特徴とする、請求項１または２に記載の包容器（１）。
【請求項４】
前記縁部（３）を形成する物質は、液体に接触したときに前記物質の体積が増大するように構成されることを特徴とする、請求項１〜３のいずれかに記載の包容器（１）。
【請求項５】
前記物質が、生分解可能であることを特徴とする、請求項１〜４のいずれかに記載の包容器（１）。
【発明の詳細な説明】
【技術分野】
【０００１】
本発明は、包容器内に含まれた、例えば挽かれたコーヒーを集中的に供給して淹れる、例えばコーヒーをベースにした飲料の調理に関する。さらに特別には、本発明は、この目的のために利用される供給方法およびかかる供給方法を利用したデバイスに関する。
【背景技術】
【０００２】
上記の原理に基づいて作動する包容器および機械は、数十年にわたって存在している。
【０００３】
米国特許第２８９９８８６号明細書、米国特許第２９６８５６０号明細書、米国特許第３４０３６１７号明細書および米国特許第３６０７２９７号明細書には、加圧下において熱水が通過する前の最初の状態のときに、いくつかの箇所に穿孔された包容器が記載されている。
【０００４】
スイス国特許第６０５２９３号明細書または欧州特許第０２４２５５６号明細書に記載された包容器は、底部に膜を備えている。熱水は、加圧下において、先ず包容器の上部に導入される。これにより包容器の膨張、主に膜の膨張を引き起こす。所定の圧力を超えると、膜が破れて、それにより水とコーヒーの混合物が流れ出るようになる。
【０００５】
膜を備えた他の包容器は、欧州特許公開第０４６８０７９号明細書、欧州特許公開第０８０６３７３号明細書、欧州特許公開第０５５４４６９号明細書に記載されている。
【０００６】
熱水の大部分は、加圧下において包容器に流入して包容器を通過するが、一部の熱水は包容器から流れ出て、側壁の外表面の下方に流れる。理論的には、この場合であっても、包容器のケージが縁部に接触しているため、側壁の基部を越えて漏出が発生することはない。
【発明の概要】
【発明が解決しようとする課題】
【０００７】
残念ながら、従来技術の包容器においてはこのようにならない。つまり、液体の一部が機械から漏れ出ることがあり、かつ／または包容器の内部を通過した液体と混合することがある。後者の場合、コーヒーの質が損なわれてしまう。
【０００８】
したがって、包容器の側壁の外表面を流れ出る液体の漏出を低減、あるいは可能であれば漏出をなくす必要がある。
【０００９】
本発明の目的の１つは、従来技術の包容器を改善することである。
【００１０】
別の目的は、上述した密閉性の問題を解決することである。
【００１１】
より具体的には、本発明は、理論上、包容器に流入して包容器を通過するのみであるべき液体が、包容器から流れ出て、縁部と包容器ケージとの間の接触領域を超えて、包容器の外側壁の下方に流れないようにすることをとくに目的とする。
【課題を解決するための手段】
【００１２】
この目的は、とくに、主要な請求項において定義される本発明に係る包容器によって達成される。或る特定の実施形態は、その従属項において定義される。
【００１３】
本発明は、縁部と包容器ケージの下部との間の密閉性を改善する利点を有する。具体的には、包容器の壁面の外表面の下方に水が流れ出て縁部に接触すると、縁部が軟化する。これにより、包容器ケージは、縁部の肉厚に対してより深く押し当てられることになる。したがって、この部位の密閉性が改善される。
【００１４】
上述したような挙動を示す、つまり軟化する性質を有する任意の物質が、本発明の目的のために使用されうる。
【００１５】
この物質を生分解可能な物質にすることは有利である。
【図面の簡単な説明】
【００１６】
【図１】ケージ４の閉止の後で、かつ熱水が浸入する前における、本発明による包容器１を示す図である。
【図２】主に包容器１に対して、さらに包容器の側壁２の外表面とケージ４の内面との間の空間６に対して、熱水７が浸入した状態を示す図である。
【図３】縁部が軟化した後における、縁部に対するケージ４の位置を示す図である。
【発明を実施するための形態】
【００１７】
添付図面に示された例を用いて、本発明をより詳細に説明する。
【００１８】
本発明に従って、コーヒーなどの飲料を調理するための包容器１は、例えば挽かれたコーヒーの供給部を備えるように構成された中空の部材を具備する。この中空の部材は、側壁２と、上面と、放出膜を備えた下面と、縁部３とを備える。側壁２は、縁部３を形成するように底部において連続している。縁部は、側壁２と交差する平面を向いている。本発明に従って、縁部３は、少なくともその一部が液体と接触したときに軟化する物質から形成される。
【００１９】
この物質が軟化する温度は、好ましくは室温より高い温度である。
【００２０】
本発明は、単に説明のために記載された実施例および実施形態に限定されない。請求される保護の範囲内における改変は、とくに均等の手段を採用することによって可能である。
【００２１】
図面において使用される参照符号は以下のとおりである。
１    包容器
２    側壁
３    縁部
４    ケージ
５    ケージ底部
６    包容器とケージとの間の空間
７    水
【図１】
2015107376.tif 000003
【図２】
2015107376.tif 000004
【図３】
2015107376.tif 000005
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
コーヒーなどの飲料を調理する包容器（１）であって、例えば挽かれたコーヒーの供給部を備えるように構成された中空の部材を具備し、該中空の部材は、側壁（２）と、上面と、放出膜を備えた下面と、前記側壁（２）と交差する平面を向いている襟状の形態の縁部（３）とを具備しており、前記縁部（３）が、液体に接触したときに軟化する物質から構成されることを特徴とする、包容器。
(57)【要約】【課題】オーバーラップ包装材は包装容器に密着しており開封には刃物を用いるなどしなくてはならず、利便性の点で問題があった。ティアテープを用いる場合には別材料で作成されているため、コストや廃棄物の増加の問題があった。本発明はこのような状況に鑑み、別材料を用いることなく易開封性をもった、オーバーラップ包装材を提供しようとするものである。【解決手段】プラスチックフィルムからなる包装材であって、開封部のきっかけとなるタブおよび開封線がレーザー光を包装材料に照射することによって作成されたことを特徴とする、オーバーラップ包装材。【選択図】図１
2015107803.tif 000002
【特許請求の範囲】
【請求項１】
プラスチックフィルムからなる包装材であって、開封部のきっかけとなるタブおよび開封線がレーザー光を包装材料に照射することによって作成されたことを特徴とする、オーバーラップ包装材。
【請求項２】
タブがレーザー光の全貫通によるものであり、開封線がレーザー光の部分貫通による破線で作られていることを特徴とする請求項１に記載のオーバーラップ包装材。
【発明の詳細な説明】
【技術分野】
【０００１】
本件発明は、包装材料のオーバーラップ包装材料に関し、易開封性を備えた包装材料である。
【背景技術】
【０００２】
オーバーラップ包装は、製品の保護、取り扱いの利便性を目的に、包装容器の外側をフィルムを用いて包む包装形態である。
包装の密封にはヒートシール、静電シール、を用いるほか、接着剤、粘着ラベル、粘着テープなどを用いる場合もある。
開封を容易にするためにティアテープと呼ばれる別のテープを封入する場合もある。
用途としてキャラメル、キャンディ、ガム、チョコレートなどの菓子類、おにぎりやパンなどの食品、などさまざまなものに用いられている。
【先行技術文献】
【特許文献】
【０００３】
【特許文献１】実用新案昭６２−４０９０１号公報
【発明の概要】
【発明が解決しようとする課題】
【０００４】
従来のオーバーラップ包装材は、開封に関しては何も加工がされていないもの、あるいはティアテープが封入されているもののいずれかであった。
何も加工がされていない場合、オーバーラップ包装材は包装容器に密着しており開封には刃物を用いるなどしなくてはならず、利便性の点で問題があった。
ティアテープを用いる場合には別材料で作成されているため、コストや廃棄物の増加の問題があった。
本発明はこのような状況に鑑み、別材料を用いることなく易開封性をもった、オーバーラップ包装材を提供しようとするものである。
【課題を解決するための手段】
【０００５】
上記の課題を解決するための手段として、請求項１に記載の発明は、プラスチックフィルムからなる包装材であって、開封部のきっかけとなるタブおよび開封線がレーザー光を包装材料に照射することによって作成されたことを特徴とする、オーバーラップ包装材である。
【０００６】
また、請求項２に記載の発明は、タブがレーザー光の全貫通によるものであり、開封線がレーザー光の部分貫通による破線で作られていることを特徴とする請求項１に記載のオーバーラップ包装材である。
【発明の効果】
【０００７】
本発明によれば、易開封性をもったオーバーラップ包装材を提供することが可能となる。
また別材料を用いていないため、コストや廃棄物の減少などにおいて利点がある。
【図面の簡単な説明】
【０００８】
【図１】本発明によるオーバーラップ包装材の一実施態様の俯瞰図である。
【発明を実施するための形態】
【０００９】
以下に本発明の実施形態について図を参照して詳細な説明をする。
軟包材の基材フィルムは、延伸ポリプロピレン、無延伸ポリプロピレン、ポリエステル、延伸ナイロン、などを使用することができる。またこれらのフィルムをラミネートして積層体としたものを基材フィルムとして利用することも可能である。
【００１０】
図１はオーバーラップ包装材の一実施態様の俯瞰図である。
オーバーラップ包装されたカートン（１０）の包装材には開封部のきっかけとなるタブ（１）が設けられ、開封時に指でつまむなどして開封を行う。タブ（１）に連続して開封線（２）が破線状に設けられており、タブを引っ張ることにより容易に開封することができる。
【００１１】
タブ（１）および開封線（２）は、基材フィルムの吸収波長を持つ炭酸ガスレーザーを用いて行う。炭酸ガスレーザーの波長は１０．６μｍである。
タブ（１）はレーザー光でフィルムを全貫通させて形を作り、開封線（２）はレーザー光を破線状に貫通させて形成する。
タブ（１）の形状は、指でつまみ易いことを考慮すれば、その大きさと形状は任意であり三角形、四角形、楕円形などの形状を例示することができる。
【００１２】
また開封線（２）は一本以上の直線または曲線で形成する。
タブ（１）および開封線（２）の位置は開封に支障がない範囲で任意の位置でよいが、タブ（１）と開封線（２）は連続している必要がある。
【００１３】
本発明は以上のような構成および作用を有するから次のような効果がある。
（ａ）オーバーラップ包装材をティアテープのような余計なゴミを出さずに容易に開封することが可能である。
（ｂ）ティアテープを用いない分の材料コストを削減することができる。
（ｃ）包装材に内容表示や応募券などの情報表示があった場合に、レーザー加工された開封線に沿って開封できるため、包装材に表示されている情報を損なうことがない。
（ｄ）開封後の包装材の開封部が美麗なため、美観を損なわずにそのまま保管できる。
（ｅ）ティアテープによる開封線の場合には形状は直線以外は困難であるが、レーザー加工による開封線の場合には、用途やデザイン性に応じて直線以外の形状にすることも可能である。
（ｆ）開封線のレーザー加工の破線の間隔、形状を変えることによって開封性を調整することが可能である。
【符号の説明】
【００１４】
１・・・タブ
２・・・開封線
１０・・・オーバーラップ包装されたカートン
【図１】
2015107803.tif 000003
(57)【要約】【課題】詰め替えボトル用ポンプのノズルを逆さまに自立させる。【解決手段】手で押す部分の形状を三角（子供用はねずみの耳）等にすることにより、ポンプ出口とで逆さまに自立できる形状とする。【選択図】図１
2015107829.tif 000002
【特許請求の範囲】
【請求項１】
シャンプー等の詰め替え用ボトルのポンプのノズル部をポンプ部と一体構造、又は、別部品取付等により、逆さまにして自立させることができる形状とする。
【発明の詳細な説明】
【技術分野】
【０００１】  本発明は、詰め替えボトル用ポンプのノズル部を逆さまに自立させるものである。
【発明の概要】
【発明が解決しようとする課題】
【０００２】詰め替え作業時のポンプ内に挿入する部分を床に付けることなく詰め替え作業が出来るようにする。
【課題を解決するための手段】
【０００３】ポンプのノズル部の手で押す部分を逆さまに自立できる形状にする。
【図１】
2015107829.tif 000003
【手続補正書】
【提出日】平成26年2月3日(2014.2.3)
【手続補正２】
【補正対象書類名】明細書
【補正対象項目名】全文
【補正方法】変更
【補正の内容】
【発明の詳細な説明】
【技術分野】
【０００１】本発明は、詰め替えボトル用ポンプのノズル部を逆さまに自立させるものである。
【発明の概要】
【発明が解決しようとする課題】
【０００２】詰め替え作業時のポンプ内に挿入する部分を床に付けることなく詰め替え作業が出来るようにする。
【課題を解決するための手段】
【０００３】ポンプのノズル部の手で押す部分を逆さまに自立できる形状にする。
【図面の簡単な説明】
【０００４】
【図１】手で押す部分を床面においてノズル部を逆さまに自立させた図である。
(57)【要約】【課題】  画鋲の取り出し、収納のための画鋲係止具を提供する。【解決手段】  環状に形成された弾性体を一対の枠体により挟持することを特徴とする画鋲係止具である。【選択図】図１
2015107631.tif 000002
【特許請求の範囲】
【請求項１】
環状に形成された弾性体を一対の枠体により挟持することを特徴とする画鋲係止具。
【請求項２】
前記弾性体において、外周面に円錐状の凹み部を等間隔に設けたことを特徴とする請求項１記載の画鋲係止具。
【発明の詳細な説明】
【技術分野】
【０００１】  本発明は、画鋲の取り出し、収納のための画鋲係止具に関するものである。
【背景技術】
【０００２】  従来、掲示物等の係止には画鋲が多用される。
【発明の概要】
【発明が解決しようとする課題】
【０００３】  そのために、次のような問題点があった。
画鋲収納ケースより取り出す際、画鋲は固定されておらず針先はランダムに収納されているので、指先を痛めることがあるので取り出しが難しい。掲示物を画鋲により係止する場合、複数の画鋲が必要となる場合、予め手に持ちながら行なうと掲示物を押さえずらい。
本発明は、以上の問題点を解決するために考案されたものである。
【課題を解決するための手段】
【０００４】  環状に形成された弾性体を一対の枠体により挟持し、前記弾性体において、外周面に円錐状の凹み部を等間隔に設ける。
以上の構成によりなる画鋲係止具。
【発明の効果】
【０００５】  本発明を使用することによって、画鋲の取り出し、収納が容易になり両手を有効に使える。
【図面の簡単な説明】
【０００６】
【図１】本発明の斜視図
【図２】本発明の分解斜視図
【図３】本発明の要部断面図
【発明を実施するための形態】
【０００７】以下、本発明の実施の形態を説明する。
（イ）ゴムまたは軟質樹脂からなる断面略矩形の環状に形成された弾性体（２）を樹脂か      らなる一対の枠体（４）において、一方は略Ｌ字形の環状体であり、もう一方は略      逆Ｌ字形の環状体であり双方の対向する延伸部は互いに勘合しながら挟持する。
（ロ）前記弾性体（２）において、外周面に円錐状の凹み部（３）を等間隔に適宜数設け      る。
本発明は以上のような構造である。
本発明を使用するときは、予め画鋲（１）を本画鋲係止具の弾性体（２）の外周面の円錐形の凹み部（３）を目安として差し込む。針先は円錐形の辺に誘導され中心に向かう。枠体（４）の中空部に手を挿入し、手首に係止する。両手がフリーになるので掲示物等の位置決めや押さえが楽になり、画鋲（１）の取り出しや収納が素早く行なえる。
【符号の簡単な説明】
【０００８】１  画鋲、２  弾性体、３  凹み部、４  枠体、
【図１】
2015107631.tif 000003
【図２】
2015107631.tif 000004
【図３】
2015107631.tif 000005
(57)【要約】【課題】  本発明は、筆記具をペン差しスリットで手帳カバーの内側に収納することができるペン差し付きの手帳カバーを提供する。【解決手段】  手帳カバー本体部は中央に筆記具を装着してもいいだけのスペースを確保し、カバー本体の内側に手帳の表紙、背表紙を差し込むための収納部を作り、手帳は表紙、もしくは、背表紙のどちらかを収納部に入れ、もう一方は入れないで使用し、本体中央上部にペンクリップを差し込むためのＵ字型のくぼみを有する。【選択図】図３
2015107627.tif 000002
【特許請求の範囲】
【請求項１】
筆記具がペン差しスリットで手帳カバーの内側に収納することができるペン差し付き手帳カバー。
【発明の詳細な説明】
【技術分野】
【０００１】  本発明は、筆記具がペン差しスリットで手帳カバーの内側に保持することができる手帳カバーに関するものである。
【背景技術】
【０００２】  手帳やパスポート、母子手帳などは、筆記具と同時に使用する機会が多いため、一緒に携帯すると便利である。
【発明の概要】
【発明が解決しようとする課題】
【０００３】  本発明は、手帳やパスポート、母子手帳など、筆記具と同時に使用する機会が多い手帳などにペン差しスリット有したカバーを取り付けることによって、筆記具をしまい易く出し易くし、また、手帳カバー中央内側に筆記具が収まるので見た目もスッキリとさせたものである。
【課題を解決するための手段】
【０００４】  手帳カバー本体の上下サイズは、手帳サイズとペンの長さを基に勘案する。
幅は片側に手帳を閉じたときのサイズにペン１本が中央部に収まるだけの長さを用意する。
左右に手帳の表表紙や裏表紙を差し込むための収納部を作る。
手帳は表紙、もしくは、背表紙のどちらかを収納部に入れ、もう一方は入れないで使用する。
本体中央部にペンクリップを差し込むためのＵ字型のくぼみを作る。
以上の構成からなるペン差しスリット付き手帳カバー。
【発明の効果】
【０００５】  本発明を使えば、手帳やパスポートケース、母子手帳などと筆記具をスッキリと収納することができる。
また、筆記具はペン差しスリットに内側からひっかけるだけなので、ペンクリップが付いた筆記具ならば、どんなサイズでも収納できる。
また、筆記具を手帳カバー内側で保持するので、筆記具が紛失しにくい。
【図面の簡単な説明】
【０００６】
【図１】  本発明の外側の説明図。
【図２】  本発明の内側の説明図。
【図３】  本発明に手帳とペンを入れた内側の説明図。
【図４】  本発明に手帳とペンを入れた外側の説明図。
【図５】  本発明に手帳とペンを入れて折り畳んだ説明図。
【発明を実施するための形態】
【０００７】  以下本発明の実施の形態を説明する。
（イ）本体（１）は、皮革、布、合成樹脂などのシート状の素材から裁断し、中央上部に    ペン差しスリット（２）を設ける。
（ロ）（イ）と同様に、表紙、もしくは、裏表紙収納部（３）も裁断する。
（ハ）本体（１）と表紙収納部（３）を縫製などにより固定する。
【符号の説明】
【０００８】  １  本体
２  ペン差しスリット
３  手帳などの表紙、もしくは、裏表紙収納部
【図１】
2015107627.tif 000003
【図２】
2015107627.tif 000004
【図３】
2015107627.tif 000005
【図４】
2015107627.tif 000006
【図５】
2015107627.tif 000007
(57)【要約】【課題】紙を折り畳むときに、角を合わせる。【解決手段】下敷き等の板の周囲１面又は２面に段差を設けて、紙を折る位置決めにする。【選択図】図１
2015107630.tif 000002
【特許請求の範囲】
【請求項１】
下敷き、定規等の板の周囲１面又は２面に段差を設けて、紙を折る位置決めにする。
【発明の詳細な説明】
【技術分野】
【０００１】本発明は、紙を折り畳む時の角合わせを容易にする為の物である。
【発明の概要】
【発明が解決しようとする課題】
【０００２】紙をよく折り畳む作業の効率を上げる。
【課題を解決するための手段】
【０００３】紙を角に当てるだけで、位置合わせを簡単にできる。
【図１】
2015107630.tif 000003
【手続補正書】
【提出日】平成26年2月3日(2014.2.3)
【手続補正２】
【補正対象書類名】明細書
【補正対象項目名】全文
【補正方法】変更
【補正の内容】
【発明の詳細な説明】
【技術分野】
【０００１】本発明は、紙を折り畳む時の角合わせを容易にする為の物である。
【発明の概要】
【発明が解決しようとする課題】
【０００２】紙をよく折り畳む作業の効率を上げる。
【課題を解決するための手段】
【０００３】紙を角に当てるだけで、位置合わせを簡単にできる。
【図面の簡単な説明】
【０００４】
【図１】下敷きに角を当てる段を設けたイメージ図である。
(57)【要約】【課題】    従来の筆記具ではクリップが筆記に使用する際、邪魔になる。【解決手段】  クリップを筆記具の軸体に設けたスリットにはめ込み、クリップが軸体後部に突き出るように設定する。【選択図】図４
2015107629.tif 000002
【特許請求の範囲】
【請求項１】
軸筒３に設けた凹部、又は、スリット７にかみ合うようにクリップ２をノック６に設ける。クリップ２、又は、相対するノック６に突起８を設ける。
【請求項２】
軸筒３に設けた凹部、又は、スリット７にクリップ２を設ける。クリップ２は軸体３後部に突き出るように設定する。
【請求項３】
クリップ２を軸体３の一部として成形した請求項２記載の筆記具。
【発明の詳細な説明】
【技術分野】
【０００１】  本発明は、筆記具等のクリップに関するものである。
【背景技術】
【０００２】  従来の筆記具のクリップは筆記具の軸体に突起物として取り付けられている（例えば、特許文献１参照）。
【先行技術文献】
【特許文献】
【０００３】
【特許文献１】  特開２０１３−１８８９２２号  公報
【発明の概要】
【発明が解決しようとする課題】
【０００４】  従来のクリップは、筆記具の軸筒に突起物として取り付けられており、筆記具使用時に邪魔になる。【０００５】  本発明は、従来の構造が持つ問題を解決しようとするものであり、筆記具のクリップが筆記具の干渉物となることを防止することを目的とする。
【課題を解決するための手段】
【０００６】  上記の課題を解決するため、本発明ではクリップをノックに取り付け、クリップに相対する軸筒部分に凹部、又は、スリットを設ける。【０００７】  また、第２の解決手段は、軸筒に設けた凹部、又は、スリットにクリップをかみこませる。クリップは軸筒後部から突き出させ出没可動にする。【０００８】  また、第３の解決手段は、軸筒後部の一部を伸ばし、これをクリップとし、ここに、爪を形成して出没可動にする。【０００９】  上記第１の課題解決手段による作用は次のとおりである。すなわち、クリップ後端を押すことで、突起とノックの当たりによりクリップ先端が浮き上がる、押す力を除くと元に戻り、クリップが沈む。【００１０】  上記第２の課題解決手段による作用は次のとおりである。すなわち、クリップのばね力でクリップ後端をノックに押し付ける。ノックを押し込むとノック後端にクリップ後端のフックが噛みこみ、クリップ後端は沈む。フックを指で外せばノックが押し戻される。【００１１】  上記第３の課題解決手段による作用は次のとおりである。すなわち、クリップ後端を押すことで、突起とノックの当たりによりクリップ先端が浮き上がる、押す力を除くと元に戻り、クリップが沈む。
【発明の効果】
【００１２】  上述したように、本発明のクリップを具備する筆記具は、クリップが邪魔にならない。【００１３】
【図面の簡単な説明】
【００１４】
【図１】第１の実施形態の側面図である。
【図２】第１の実施形態の斜視図である。
【図３】第２の実施形態の側面図である。
【図４】第２の実施形態の斜視図である。
【図５】第３の実施形態の側面図である。
【図６】第３の実施形態の斜視図である。
【００１５】
【発明を実施するための形態】
【００１６】  以下、本発明を発明の実施形態に基づいて詳細に説明する
【００１７】  実施例について図面を参照して説明すると、図１〜図２のように、ノック６に取り付けられたクリップ２の後部を押すとクリップ２の突部８とノック６の当たりによりクリップ２が変形して、クリップ２の先端が浮き出てくる、反対に、押しつけを解除すると、クリップ２は元に戻る。なを、３は軸筒、７は凹部、又、はスリットである。
【００１８】  第２の実施例としては図３〜図４のように、クリップ２を軸体３の凹部、又、はスリット７に沿ってはめ込み、軸体３後部に突き出た形で設ける。クリップ２の後部にフック５を設ける。ノック６を押すとクリップ２の後端のフック５がノック６の後部に噛みこむ。反対に、フック５を押して外すとノック６は押し戻される。なを、４はインク軸先端である。この例では筆記具先端を上向きにしてポケットに差し込む。
【００１９】  第３の実施例としては図３〜図４ように、軸筒３の後部に設けたクリップ２の後部をノック６に押しつけるとクリップ２の爪１に設けた突部８とノック６の当たりによりクリップ２が沈み、爪１が出てくる、反対に、押しつけを解除すると、爪１とクリップ２が軸筒３に没し一体となる。なを、７は凹部、又、はスリットである。
【符号の説明】
【００２０】１  爪
２  クリップ
３  軸体
４  インク軸先端
５  フック
６  ノック
７  凹部、又は、スリット
８  突起
【図１】
2015107629.tif 000003
【図２】
2015107629.tif 000004
【図３】
2015107629.tif 000005
【図４】
2015107629.tif 000006
【図５】
2015107629.tif 000007
【図６】
2015107629.tif 000008
(57)【要約】      （修正有）【課題】河川等の流れるエネルギーを電気に変える時、さまざまな要因による水位の上下変動にかかわらず安定して電気を発電する双胴船ーダリウス／ジャイロミル水車発電機を提供する。【解決手段】強化プラスチック艇、二艇を平行に配置し、それぞれを接続するように甲板を設けた双胴船の中央に取り付けたダリウス／ジャイロミル水車４が河川の流れるエネルギーを回転エネルギーに変換し、発電機３により電力を発生させる双胴船ーダリウス／ジャイロミル水車発電機を特徴とする。【選択図】図２
2015107781.tif 000002
【特許請求の範囲】
【請求項１】
二艇の強化プラスチック艇を平行に配置し、それぞれの上面に連結甲板を取付る。連結甲板の中央にダリウス／ジャイロミル水車とそれに連携する発電機を取り付けた双胴船ーダリウス／ジャイロミル水車発電機。
【発明の詳細な説明】
【技術分野】
【０００１】この発明は、河川などの流水に浮かべた、双胴船の接続甲板中央部にダリウス／ジャイロミル水車発電機を設けた双胴船型ーダリウス／ジャイロミル水車発電機に関するものである。
【背景技術】
【０００２】従来、河川の形状を変更する程の構造物を川岸、川底等に設け、それに発電機を配置し発電していた。
【先行技術文献】
【特許文献】
【０００３】特になし
【発明の概要】
【発明が解決しようとする課題】
【０００４】これは次のような欠点があった。川の岸、底などに構造物を作り環境が大きく変わることは、自然環境破壊であり、設備費も嵩む。季節その他の要因で川の水位が上下変動することで発電用水車に作用する水量が変化することで安定した発電が不可能になる。本発明は、以上のような欠点をなくすためになされたものである。
【課題を解決するための手段】
【０００５】強化プラスチック艇、二艇を平行に配置し、それぞれを接続するように甲板を設け双胴船とする。その接続甲板の中央にダリウス／ジャイロミル水車発電機を設け発電する。本発明は、以上の構成によりなる双胴船型ーダリウス／ジャイロミル水車発電機である。
【発明の効果】
【０００６】双胴船とダリウス／ジャイロミル水車発電機は一体で水面に浮いているので、川の水位が変動してもダリウス／ジャイロミル水車に作用する水量は一定である。この双胴船型ーダリウス／ジャイロミル水車発電機は、縦方向、横方向の連結はスペースが許す限り自由であり、深夜を問わず連続発電することが出来る。
【図面の簡単な説明】
【０００７】
【図１】本発明の双胴船部の平面、側面図である。
【図２】本発明の双胴船型ー水車プロペラ発電機。
【発明を実施するための形態】
【０００８】以下、本発明を実施するための形態について説明する。強化プラスチック右艇と左艇の上面に接続連結甲板を設ける。連結甲板の中央部にダリウス／ジャイロミル水車と発電機を設ける。水車の水面下に挿入する深さは全体の重量により強化プラスチック量を設定する。本発明は、以上のような構造である。これを使用するときは川岸よりロープにて固定し、昼夜を問わず発電する事が出来る。
【符号の説明】
【０００９】図１符合                              図２符合  Ｌ１：  左艇                          Ｌ１：  左艇  Ｒ１：  右艇                          Ｒ１：  右艇  Ａ：    連結甲板                      Ａ：    連結甲板  Ｂ：    発電機                        Ｂ：    発電機  Ｃ：    ダリウス／ジャイロミル水車    Ｃ：    ダリウス／ジャイロミル水車
【図１−（Ｉ）】
2015107781.tif 000003
【図１−（ＩＩ）】
2015107781.tif 000004
【図−２】
2015107781.tif 000005
【図１】
2015107781.tif 000006
【図２】
2015107781.tif 000007
【手続補正書】
【提出日】平成26年2月7日(2014.2.7)
【手続補正１】
【補正対象書類名】明細書
【補正対象項目名】０００７
【補正方法】変更
【補正の内容】
【０００７】
【図１】  本発明の平面図である。
【図２】  本発明の断面図である。
【手続補正２】
【補正対象書類名】図面
【補正対象項目名】全図
【補正方法】変更
【補正の内容】
【図１】
2015107781.tif 000008
【図２】
2015107781.tif 000009
【手続補正書】
【提出日】平成26年2月17日(2014.2.17)
【手続補正１】
【補正対象書類名】明細書
【補正対象項目名】０００５
【補正方法】変更
【補正の内容】
【０００５】河川などの流れに浮かべた双胴船の右艇（１）と左艇（２）のそれぞれの上面に接続用甲板（３）を設ける。その甲板の中央にダリウス／ジャイロミル水車プロペラ（４）を水流中に配し、このプロペラにて水流を回転力に変換し、増速機（５）を介し発電機（６）に伝え発電する。
本発明は、以上の構成よりなる双胴船型ーダリウス／ジャイロミル水車プロペラ発電機である。
【手続補正２】
【補正対象書類名】明細書
【補正対象項目名】０００７
【補正方法】変更
【補正の内容】
【０００７】
【図１】本発明の平面図である。
【図２】本発明の断面図である。
【図３】本発明のダリウス／ジャイロミル水車プロペラの斜視図である。
【手続補正３】
【補正対象書類名】明細書
【補正対象項目名】０００９
【補正方法】変更
【補正の内容】
【０００９】図１、図２符号
１．双胴船右艇
２．双胴船左艇
３．接続用甲板
４．ダリウス／ジャイロミル水車
５．増速機
６．発電機
【手続補正５】
【補正対象書類名】図面
【補正対象項目名】図３
【補正方法】追加
【補正の内容】
【図３】
2015107781.tif 000010
(57)【要約】【課題】  従来、傘の柄を挟掴して固定するために傘柄に重心がかかり、その重量を支えるために複雑な構造と、手で持つには負担がかかり過ぎる重量になり使いづらく、折りたたみ傘には対応できない等の制約があった。  本発明は、以上の問題点を解決する自動車取付用傘固定具を提供する。。【解決手段】  多段式に伸縮するポールの先端に、開いた傘のシャフトを挟み込んで保持する挟持部を設け、ポールの根元域に自動車に取り付け固定する台座を設け、台座の片面に磁石を設け、ポールの根元は台座の一端に軸止めされ、ポールを台座の他端方向にぴったりと畳むことができ、台座の他端にはポールの側へ垂直に立ち上がることができる角度調節支柱を設け、角度調節支柱は台座にぴったり平行に畳まれるときはポールの下に納まるように形設される。  以上を特徴とする自動車取付用傘固定具。【選択図】図２
2015107782.tif 000002
【特許請求の範囲】
【請求項１】
本発明は、多段式に伸縮するポールの先端に、開いた傘のシャフトを挟み込んで保持する開口部を有したリング状の挟持部を設け、ポールの根元域に自動車にとりつけ固定する台座を設け、台座の片面に磁石を設け、ポールの根元は台座の一端に軸止めされ、ポールを台座の多端方向にぴったりと畳むことができ、台座の多端にはポールの側へ垂直に立ち上がることができる角度調節支柱を設け、角度調節支柱は台座にぴったり平行に畳まれるときはポールの下に納まるように形設される自動車取付用傘固定具。
【請求項２】
磁石をつけた台座の代わりに、数センチ幅の樹脂版を折り曲げて逆Ｕ字形の取り付けクリップを形成して、取り付けクリップ外側片面に、先端に開口部を有すリング状の挟持部を設けた多段式の伸縮ポールを設けている取付台座とし、自動車の窓枠と窓ガラスの上部の間に取付台座を挟み込んで機能開始の状態にすることが出来る請求項１の自動車取付用傘固定具。
【発明の詳細な説明】
【技術分野】
【０００１】  本発明は、開いたままの傘を自動車のドア窓ガラスや自動車の屋根に一時保持・固定させるものである。
【背景技術】
【０００２】  従来、自動車の取付用傘固定具としては、広げた傘の柄を保持するために本体に保持等の調整機能と、バネ、ネジ等を使った固定具（特許文献１参照）や、線状のスリットに傘を嵌め込み保持固定するもの（特許文献２参照）が知られている。
【先行技術文献】
【特許文献】
【０００３】
【特許文献１】  特開２００５−０２１５４０号公報
【特許文献２】  特開２００１−１３８８１８号公報
【発明の概要】
【発明が解決しようとする課題】
【０００４】  参照文献１に示される先行技術は、傘の柄を挟掴して固定するために傘柄に重心がかかり、その重量を支えるために複雑な構造と、手で持つには負担があり過ぎる重量になり使いづらい。
参照文献２に示される先行技術は、折りたたみ傘には対応できないという制約があった。
本発明は以上の問題点を解決するものである。
【課題を解決するための手段】
【０００５】  多段式に伸縮するポールの先端に、開いた傘のシャフトを挟み込んで保持する挟持部を設け、ポールの根元域に自動車に取り付け固定する台座を設け、台座の片面に磁石を設け、ポールの根元は台座の一端に軸止めされ、ポールを台座の他端方向にぴったりと畳むことができ、台座の他端にはポールの側へ垂直に立ち上がることができる角度調節支柱を設け、角度調節支柱は台座にぴったり平行に畳まれるときはポールの下に納まるように形設される。
以上を特徴とする自動車取付用傘固定具である。
【発明の効果】
【０００６】  本発明は、挟持部の開口リングに傘のシャフトを嵌めこむだけで傘をしっかり固定でき、構造が簡単で折りたたみ傘等の傘の種類や柄の太さの違いにも無理なく対応でき、傘の保持・固定が非常に確実で且つ簡単であることを特徴とする。
【図面の簡単な説明】
【０００７】
【図１】  本発明の側面図
【図２】  本発明の斜視図
【図３】  本発明の鳥瞰図
【図４】  本発明を自動車の屋根に取り付けたイメージ図
【図５】  本発明の斜視図（クリップ付取付台座）
【図６】  本発明を自動車のドア窓に取り付けたイメージ図（クリップ付取付台座）
【発明を実施するための形態】
【０００８】  以下、本発明の実施の形態を説明する。
（イ）多段式に伸縮するポール（１）の先端に、開いた傘のシャフト（６）を挟み込んで      保持する開口部を有したリング状の挟持部（２）を設ける。
（ロ）ポール（１）の根元域に自動車に取り付け固定する台座（３）を設け、台座（３）      の片面に磁石（４）を設ける。
（ハ）ポール（１）の根元は台座（３）の一端に軸止めされ、ポール（１）を台座（３）      の他端方向にぴったりと畳み込むことができ、台座（３）の他端にポール（１）の      側へ垂直に立ち上がることができる角度調節支柱（５）を設け角度調節支柱は（５      ）は、台座（３）にぴったり平行に畳まれる時はポールの下に納まるよう形設され      る。
本発明は以上のような構成である。
本発明を使用するときは、台座（３）を自動車の屋根やドアーに貼着し、伸ばしたポール（１）の先端に設けられたリング状の挟持部（２）の開口部に開いた傘のシャフト（６）を差し込み、傘の下ロクロ（７）をリング状で支えると、傘は宙吊り状態となりしっかり保持される。
また磁石（４）を設けた台座（３）の代わりに、数センチ幅の樹脂版を折り曲げて逆Ｕ字形の取付クリップ（８）を形成して、取付クリップ（８）外側片面に、先端に開口部を有するリング状の挟持部（２）を設けた多段式の伸縮ポールを設けた取付台座（９）とし、自動車の窓枠と窓ガラスの上部の間に取付台座（９）を挟みこんで機能開始の状態にすることが出来る。
雨天時、自動車のそばでの作業には、傘を自動車の車体に取り付けて置けるので、両手の自由が効き行動の幅が増える。
【符号の説明】
【０００９】１  ポール
２  開口部を有したリング状の挟持部
３  台座
４  磁石
５  角度調節支柱
６  傘のシャフト
７  傘の下ロクロ
８  取り付けクリップ
９  取付台座
【図１】
2015107782.tif 000003
【図２】
2015107782.tif 000004
【図３】
2015107782.tif 000005
【図４】
2015107782.tif 000006
【図５】
2015107782.tif 000007
【図６】
2015107782.tif 000008
(57)【要約】 【課題】  本発明は、就寝時を主に携帯電話・スマートフォンを適切に収納できるクッションを提供する。【解決手段】  クッションにポケット状のくぼみを設けることで、就寝時を主に携帯電話・スマートフォンの収納に優れたクッションができる。【選択図】  図１
2015107140.tif 000002
【特許請求の範囲】
【請求項１】
携帯電話・スマートフォンを収納するために、ポケット状のくぼみがあることを特徴とするクッション。
【発明の詳細な説明】
【技術分野】
【０００１】
本発明は、就寝時を主に携帯電話・スマートフォンを適切に収納できるクッションに関するものである。          
【背景技術】
【０００２】
日本では、携帯電話の普及率が１００％に近づき、誰もが携帯電話を保有している。
外出時は、携帯電話をポケットに入れたり、カバンに入れて持ち歩き、仕事中は机の上に置いたり、ロッカーに保管する。しかし、自宅では携帯電話の決まった置き場所がなく、特に就寝時は、ベッドに収納機能がないと置き場所に困ることが多い。
【先行技術文献】
【特許文献】
【０００３】
【特許文献１】特開２００８−２５９７８６号公報
【特許文献２】特開２００９−２９０６８１号公報
【発明の概要】
【発明が解決しようとする課題】
【０００４】
多くの人が携帯電話・スマートフォンのアラーム機能を利用するため、就寝時に携帯電話・スマートフォンを枕元の布団・マットの上に置く人が多くいる。しかし、布団・マットの上に置かれた携帯電話・スマートフォンは、ずれて床に落ちたり、布団やマットと壁の間に入り込んだりして、不便を感じる。
【課題を解決するための手段】
【０００５】
携帯電話・スマートフォンを収納するために、ポケット状のくぼみを持つ特殊な形状のクッションを設ける。
【発明の効果】
【０００６】
本発明によれば、以下のような効果を有する。
携帯電話・スマートフォンを収納するためのポケット状のくぼみを持つクッションを枕元に置き、その中に携帯電話・スマートフォンを入れておけば、ずれて床におちたり、布団やマットと壁の間に入り込んだりすることがなく、快適である。
【図面の簡単な説明】
【０００７】
【図１】本発明の実施方法を示した説明図である。（実施例１）
【図２】本発明の実施方法を示した説明図である。（実施例２）
【発明を実施するための形態】
【０００８】
以下、本発明の実施の形態を図に基づいて説明する。
【実施例１】
【０００９】
図１は、本発明の実施例１の説明図である。
（イ）  中材が綿やビーズの立方形クッション（１）に携帯電話・スマートフォンが収納可能なくぼみ（２）を設ける
（ロ）  中材が綿やビーズの円柱形クッション（３）に携帯電話・スマートフォンが収納可能なくぼみ（４）を設ける
【実施例２】
【００１０】
図２は、本発明の実施例２の説明図である。
（ハ）  中材が綿やビーズ・ウレタンの立方体クッションのくぼみに携帯電話（５）が適切に収納できる。
（ニ）  中材が綿やビーズ・ウレタンの円柱クッションのくぼみにスマートフォン（６）が適切に収納できる。
【産業上の利用可能性】
【００１１】
本発明の構造は、就寝時を主に携帯電話・スマートフォンを適切に収納できるクッションとして、幅広く利用されるものである。
【符号の説明】
【００１２】
（１）立方体クッション（２）収納用くぼみ（３）円柱形クッション
（４）収納用くぼみ（５）携帯電話（６）スマートフォン
【図１】
2015107140.tif 000003
【図２】
2015107140.tif 000004
(57)【要約】【課題】剥がれにくい医療用シートを提供する。【解決手段】医療用シート１は、その厚さ方向に貫通する線状の切れ込みＣｘ，Ｃｙが形成されている。【選択図】図１
2015107198.tif 000002
【特許請求の範囲】
【請求項１】
医療用シートであって、
その厚さ方向に貫通する線状の切れ込みが形成されていることを特徴とする医療用シート。
【請求項２】
前記切れ込みが複数形成されており、各切れ込みは互いに交差していないことを特徴とする請求項１に記載の医療用シート。
【請求項３】
前記切れ込みは、第１の方向に延びる第１の切れ込みと、前記第１の方向とは異なる第２の方向に延びる第２の切れ込みとを含むことを特徴とする請求項１または２に記載の医療用シート。
【請求項４】
前記第１の方向と前記第２の方向とが直交することを特徴とする請求項３に記載の医療用シート。
【請求項５】
前記切れ込みは、前記医療用シートの外周縁部を除く領域に形成されていることを特徴とする請求項１〜４のいずれかに記載の医療用シート。
【発明の詳細な説明】
【技術分野】
【０００１】
本発明は、外科手術等に用いられる医療用シートに関する。
【背景技術】
【０００２】
外科手術においては、縫合部を被覆するために、医療用シートが用いられている。医療用シートの材料には、生体吸収性のある止血材、被覆材、閉鎖材、癒着防止材などが用いられる。例えば、縫合部の被覆を目的とする医療用シートとしては、ネオベール（登録商標）などがある。
【発明の概要】
【発明が解決しようとする課題】
【０００３】
しかしながら、内臓の表面など、球面状の箇所に医療用シートを貼付すると、医療用シートに皺が形成され、その部分から剥がれやすくなるという問題があった。
【０００４】
本発明は、上記問題を解決するためになされたものであって、剥がれにくい医療用シートの提供を目的とする。
【課題を解決するための手段】
【０００５】
本発明に係る医療用シートは、その厚さ方向に貫通する線状の切れ込みが形成されていることを特徴とする。
【０００６】
このような構成によれば、医療用シートを内臓の表面などの球面状の箇所に貼付した場合であっても、医療用シートが切れ込みと垂直な方向に伸びるため、医療用シートに皺が形成されにくくなる。よって、医療用シートは、切れ込みが形成されていない従来の医療用シートに比べ、貼付箇所から剥がれにくくなる。
【０００７】
また、上記医療用シートにおいて、前記切れ込みが複数形成されており、各切れ込みは互いに交差していないことが好ましい。
【０００８】
また、上記医療用シートにおいて、前記切れ込みは、第１の方向に延びる第１の切れ込みと、前記第１の方向とは異なる第２の方向に延びる第２の切れ込みとを含むことが好ましい。
【０００９】
また、上記医療用シートにおいて、前記第１の方向と前記第２の方向とが直交してもよい。
【００１０】
また、上記医療用シートにおいて、前記切れ込みは、前記医療用シートの外周縁部を除く領域に形成されていることが好ましい。
【発明の効果】
【００１１】
本発明によれば、剥がれにくい医療用シートを提供することができる。
【図面の簡単な説明】
【００１２】
【図１】本発明の実施形態に係る医療用シートを示す平面図である。
【図２】（ａ）および（ｂ）は、本発明の実施形態の変形例に係る医療用シートを示す平面図である。
【図３】切れ込みが交差した医療用シートを示す平面図である。
【発明を実施するための形態】
【００１３】
以下、本発明の実施形態について添付図面を参照して説明する。ただし、本発明は実施形態に限定されるものではなく、請求項に示した範囲で種々の変更が可能である。
【００１４】
図１は、本発明の実施形態に係る医療用シート１を示す平面図である。医療用シート１は、矩形状であり、例えば外科手術の縫合部位に貼付される。
【００１５】
医療用シート１には、その厚さ方向に貫通する線状の切れ込みが形成されている。切れ込みは複数形成されており、医療用シート１の横方向（第１の方向）に延びる第１の切れ込みＣｘと、医療用シート１の縦方向（第２の方向）に延びる第２の切れ込みＣｙとを含む。第１の切れ込みＣｘおよび第２の切れ込みＣｙは、医療用シート１の横方向および縦方向に沿って、交互に形成されている。
【００１６】
このように、本実施形態に係る医療用シート１には、第１のおよび第２の切れ込みＣｘ，Ｃｙが形成されている。これにより、医療用シート１を内臓の表面などの球面状の箇所に貼付した場合であっても、医療用シート１が、第１および第２の切れ込みＣｘ，Ｃｙと垂直な方向（すなわち、医療用シート１の横方向および縦方向）に伸びるため、医療用シート１に皺が形成されにくくなる。よって、医療用シート１は、切れ込みが形成されていない従来の医療用シートに比べ、貼付箇所から剥がれにくくなる。
【００１７】
なお、切れ込みの長さや個数は特に限定されず、医療用シート１のサイズに応じて適宜変更可能である。切れ込みの形成方法も特に限定されないが、例えば、トムソン刃によって切れ込みを形成することができる。また、医療用シート１の平面視の形状も、矩形に限定されない。
【００１８】
また、図１に示す形態では、第１の切れ込みＣｘが延びる第１の方向と第２の切れ込みＣｙが延びる第２の方向とが直交していたが、第１の方向と第２の方向とは直交していなくてもよい。
【００１９】
また、図２（ａ）に示すように、第１の切れ込みＣｘのみを形成してもよいし、図２（ｂ）に示すように、第２の切れ込みＣｙのみを形成してもよい。あるいは、第１および第２の切れ込みＣｘ，Ｃｙに加え、第１および第２の方向と異なる方向に延びる切れ込みをさらに設けてもよい。
【００２０】
なお、図３に示すように、第１の切れ込みＣｘと第２の切れ込みＣｙとを互いに交差するように形成すると、その交点Ｎから医療用シート１が剥がれやすくなる。そのため、各切れ込みは互いに交差していないことが好ましい。
【００２１】
同様に、切れ込みを医療用シート１の外周縁部に達するように形成すると、外周縁部の切れ込みが形成された部分が剥がれやすくなる。そのため、切れ込みは、医療用シート１の外周縁部を除く領域に形成されていることが好ましい。
【符号の説明】
【００２２】
１    医療用シート
Ｃｘ  切れ込み（第１の切れ込み）
Ｃｙ  切れ込み（第２の切れ込み）
【図１】
2015107198.tif 000003
【図２】
2015107198.tif 000004
【図３】
2015107198.tif 000005